(57)【要約】【課題】カーテンにおいて、外観を損ねずに簡単に丈調整を行うことができるようにする。【解決手段】カーテン１は、水平に設けられた切断用ライン部２と、この切断用ライン部２の上部に隣接して水平に設けられ、帯状を呈し、切断用ライン部２が切断されたときの解れを防止するための解れ防止部３と、を備える。【選択図】図１
0003204532.tif 000002
【実用新案登録請求の範囲】
【請求項１】
水平に設けられた切断用ライン部と、
前記切断用ライン部の上部に隣接して水平に設けられ、帯状を呈し、前記切断用ライン部が切断されたときの解れを防止するための解れ防止部と、
を備えることを特徴とするカーテン。
【請求項２】
前記切断用ライン部及び前記解れ防止部のそれぞれは、等間隔に複数設けられていることを特徴とする請求項１記載のカーテン。
【請求項３】
前記切断用ライン部は、前記カーテンの厚みが他の部分よりも薄い部分であることを特徴とする請求項１又は２記載のカーテン。
【請求項４】
前記カーテンの裏側には、光反射用糸が編み込まれ、
前記切断用ライン部は、前記光反射用糸のみが位置する部分である、
ことを特徴とする請求項３記載のカーテン。
【考案の詳細な説明】
【技術分野】
【０００１】
本考案は、丈調整可能なカーテンに関する。
【背景技術】
【０００２】
従来、カーテンは、オーダーメイドカーテン又は既製品カーテンのどちらかで購入される。
オーダーメイドカーテンは、カーテンの取り付け位置に合わせたサイズ調整が行われた上でカーテンを受け取ることになるため、受け取りに日数を要する。
【０００３】
一方、既製品カーテンは、サイズ調整を要さずに受け取ることができるが、予めサイズが規定されているため、カーテンの取り付け位置に合ったサイズのカーテンを見つけるのが困難な場合や、そもそも、取り付け位置に合ったサイズのカーテンがない場合がある。
【０００４】
カーテンの丈を調整する手法としては、裾上げ用接着テープを加熱圧着することにより裾上げ調整を行う手法が提案されている（例えば、特許文献１参照）。
【先行技術文献】
【特許文献】
【０００５】
【特許文献１】実用新案登録第３０４７５７８号公報
【考案の概要】
【考案が解決しようとする課題】
【０００６】
しかしながら、裾上げ用接着テープを加熱圧着することにより裾上げ調整を行う上述の手法は、カーテンを必要に応じて切断し、カーテンの下端を所望の水平な位置で裏側に折り返し、裾上げ用接着テープを適切な位置に配置し、更に、加熱圧着を行う必要があるため、丈調整の作業が困難である。更には、折り返し位置が水平でないとカーテンの外観が損なわれる。
【０００７】
しかも、単に、カーテンの下端を裏側に折り返し、折り返した部分を裾上げ用接着テープにより固定するだけでは、カーテンの折り返し部分である下端が側面視において丸みを帯びるため、この点でも、カーテンの外観が損なわれる。
【０００８】
本考案の目的は、外観を損ねずに簡単に丈調整を行うことができるカーテンを提供することである。
【課題を解決するための手段】
【０００９】
１つの態様では、カーテンは、水平に設けられた切断用ライン部と、前記切断用ライン部の上部に隣接して水平に設けられ、帯状を呈し、前記切断用ライン部が切断されたときの解れを防止するための解れ防止部と、を備える。
【００１０】
また、前記カーテンにおいて、前記切断用ライン部及び前記解れ防止部のそれぞれは、等間隔に複数設けられているとよい。
また、前記カーテンにおいて、前記切断用ライン部は、前記カーテンの厚みが他の部分よりも薄い部分であるとよい。
【００１１】
また、前記カーテンにおいて、前記カーテンの裏側には、光反射用糸が編み込まれ、前記切断用ライン部は、前記光反射用糸のみが位置する部分であるとよい。
【考案の効果】
【００１２】
本考案によれば、外観を損ねずに簡単に丈調整を行うことができる。
【図面の簡単な説明】
【００１３】
【図１】本考案の一実施の形態に係るカーテンを示す正面図である。
【図２】図１のＡ部拡大写真である。
【図３】図２のＢ部を裏側から見た拡大写真である。
【図４】図３のＣ部拡大写真である。
【考案を実施するための形態】
【００１４】
以下、本考案の実施の形態に係るカーテンについて、図面を参照しながら説明する。
図１は、本考案の一実施の形態に係るカーテン１を示す正面図である。
図２は、図１のＡ部拡大写真である。
【００１５】
図３は、図２のＢ部を裏側から見た拡大写真である。
図４は、図３のＣ部拡大写真である。
図１に示すように、カーテン１は、複数の切断用ライン部２と、複数の解れ防止部３と、裾部４と、左右一対の耳部５，６と、を備える。一例ではあるが、カーテン１は、ポリエステル素材からなるレースカーテンである。
【００１６】
カーテン１の裏側の面、すなわち外側の面には、光反射用糸が編み込まれている。この光反射用糸は、例えば、光沢性を有するブライト糸である。光反射用糸としては、ブライト糸のほか、扁平形状糸が挙げられる。なお、カーテン１は、ドレープカーテンなどの他のカーテンであってもよい。また、図１ではカーテン１を１枚のみ図示しているが、２枚１組のカーテン１であってもよい。
【００１７】
複数の切断用ライン部２は、図１では便宜上点線で示すが、カーテン１の他の部分よりも厚みが薄い部分であり、水平に等間隔に設けられている。切断用ライン部２は、例えば、上記の反射用糸のみが位置する部分であるが、カーテン１の他の部分よりも切断が容易な部分或いは切断時に切断部分が水平に対し曲がりにくい部分であればよく、点線や破線などの切り込み線が入った部分などであってもよい。
【００１８】
なお、複数の切断用ライン部２は、例えば、左側の耳部５から右側の耳部６まで、カーテン１の幅方向の全体に亘って設けられている。ここで、耳部５，６は、例えば、左端又は右端を１回以上折り返され、折り返された部分が重ねられて縫い付けられた部分である。
【００１９】
図２に示すように、複数の切断用ライン部２が設けられる間隔Ｐは、例えば５ｃｍである。図１の例では、１０個の切断用ライン部２が設けられており、最も下に位置する切断用ライン部２とカーテン１の下端（すなわち裾部４の下端）との間隔も５ｃｍであるため、任意の切断用ライン部２を切断することで、５ｃｍごとに５０ｃｍまでの丈調整を行うことができる。
【００２０】
なお、図１のカーテン１のサイズは、例えば、幅１００ｃｍ、丈１８０ｃｍであるため、丈１３０ｃｍから１８０ｃｍまで５ｃｍごとに調整を行うことができる。また、カーテン１の上部にアジャスターフックが設けられていれば、更に細かい丈調整を行うことができる。なお、切断用ライン部２が設けられる間隔Ｐは、カーテン１のサイズやニーズに合わせて適宜変更すればよい。
【００２１】
図２〜図４に示すように、複数の解れ防止部３は、切断用ライン部２の上部に隣接して水平に設けられている。また、複数の解れ防止部３は、帯状を呈し、切断用ライン部２が切断されたときの解れを防止するための部分である。複数の解れ防止部３は、例えば網目が細かく形成されることになどによって補強されている。
【００２２】
切断用ライン部２及び解れ防止部３は、それぞれ複数設けられることが望ましいが、１個ずつ設けられるだけでもよい。その１個の切断用ライン部２においてカーテン１を切断することでもカーテン１の丈調整を行うことができるためである。
【００２３】
以上説明した本実施の形態では、カーテン１は、水平に設けられた切断用ライン部２と、この切断用ライン部２の上部に隣接して水平に設けられ、帯状を呈し、切断用ライン部２が切断されたときの解れを防止するための解れ防止部３と、を備える。
【００２４】
このように、切断用ライン部２の上部に隣接して解れ防止部３が設けられていることによって、例えばハサミで切断用ライン部２を切断するという作業のみで丈調整を行うことができるため、従来の丈調整の困難な作業、すなわち、カーテン１を必要に応じて切断し、カーテン１の下端を所望の水平な位置で裏側に折り返し、折り返し部分を縫い付け又は貼り付けにより固定するという作業を省略することができる。また、カーテン１の切断後の下端部分が解れることで外観が損なわれるのを、解れ防止部３によって防止することができる。
【００２５】
よって、本実施の形態によれば、外観を損ねずに簡単に丈調整を行うことができる。
また、本実施の形態では、切断用ライン部２及び解れ防止部３のそれぞれは、等間隔（間隔Ｐ）に複数設けられている。これにより、複数の切断用ライン部２のうち所望の丈に合った部分を切断することができるため、簡単且つ的確に丈調整を行うことができる。
【００２６】
また、本実施の形態では、切断用ライン部２は、カーテン１の厚みが他の部分よりも薄い部分である。そのため、切断用ライン部２が、点線や破線などの切り込み線が入った部分である場合と比較して、外観を損ねずにカーテン１を簡単に製造することができる。
【００２７】
また、本実施の形態では、カーテン１の裏側には、光反射用糸が編み込まれており、切断用ライン部２は、光反射用糸のみが位置する部分である。そのため、カーテン１を簡素な構成にすることができる。
【符号の説明】
【００２８】
１      カーテン
２      切断用ライン部
３      解れ防止部
４      裾部
５，６      耳部
【図１】
0003204532.tif 000003
【図２】
0003204532.tif 000004
【図３】
0003204532.tif 000005
【図４】
0003204532.tif 000006